(57)【要約】【課題】開閉扉枠の取付作業が容易に行なえ作業性に優れ、しかも、後に閉められる開閉扉枠の交換作業時に先に閉められる開閉扉枠が床面に落下して破損するといった危険性をなくした遊技機を提供する。【解決手段】本体枠２の前面一側に前方へ水平に突出すると共に中軸孔２９を開設した中部支持板２８が設けられ、本体枠２の前面一側に少なくとも一対の開閉扉枠５，８が中部支持板２８を挟んで上下に連なるようにして開閉自在に軸着される遊技機Ｐであって、一対の開閉扉枠５，８の内の先に閉められる開閉扉枠８に付勢部材４４により常に後で閉められる開閉扉枠５側に付勢され中軸孔２９に挿通される共通軸４２を取着し、本体枠２には中軸孔２９に挿通される共通軸４２が付勢部材４４の付勢に抗して押し込まれても該共通軸４２を中軸孔２９から突出した位置で保持する規制段部３０を設けた構成からなる。【選択図】図９
2008136790.tif 000002
【特許請求の範囲】
【請求項１】
本体枠の前面一側に前方へ水平に突出すると共に中軸孔を開設した中部支持板が設けられ、前記本体枠の前面一側に少なくとも一対の開閉扉枠が前記中部支持板を挟んで上下に連なるようにして開閉自在に軸着される遊技機であって、
前記一対の開閉扉枠の内の先に閉められる開閉扉枠に付勢部材により常に後で閉められる開閉扉枠側に付勢され前記中軸孔に挿通される共通軸を取着し、前記本体枠には先に閉められる前記開閉扉枠が閉められた状態で前記中軸孔に挿通される前記共通軸が前記付勢部材の付勢に抗して押し込まれても該共通軸を該中軸孔から突出した位置で保持する規制段部を設けたことを特徴とする遊技機。
【発明の詳細な説明】
【技術分野】
【０００１】
本発明は、本体枠の前面一側に少なくとも一対の開閉扉枠を上下に連なるようにして開閉自在に軸着してなる遊技機に関するものである。
【背景技術】
【０００２】
従来、この種の遊技機として例えば次に示すようなパチンコ遊技機が有る。すなわち、このパチンコ遊技機は、遊技盤が配設される本体枠の前面一側に遊技盤の前面を覆う開閉扉枠としての透明板保持枠と、該透明板保持枠の下方に連なるようにしかつ貯留される遊技球を打球発射部へ供給する球受皿が前面に装着される開閉扉枠としての前板と、がそれぞれ開閉自在に軸着されている。更に詳しくは、本体枠の前面一側に透明板保持枠と前板との間に位置して軸孔を開設した支持板が突設され、該軸孔が透明板保持枠と前板との共に合致する位置に開設された各軸孔と連通するようになっている。また、透明板保持枠の裏面には、付勢部材である引っ張りスプリングの付勢により常に前板側へ付勢され各軸孔に挿通される共通軸が取着されている。
【０００３】
ところで、通常のパチンコ遊技機は、遊技盤面にセル板などの不正具を這わせて行なわれる不正行為を防ぐため、前板の上端に前面が開放する側断面略コ字形の横溝を設け、透明板保持枠を閉めたとき該透明板保持枠の下端壁の後端部を横溝内に介入するようにしている（例えば、特許文献１参照。）。よって、透明板保持枠よりも前板を先に閉める必要があり、このため、透明板保持枠も前板も共に開いた状態で取り付けられる。詳しくは、透明板保持枠と前板を上下に連ねた状態で、透明板保持枠の一側上部と前板の一側下部をそれぞれ本体枠に軸着する。そして、共通軸を引っ張りスプリングの付勢に抗して引き上げ、支持板と透明板保持枠及び前板の各軸孔を合致させ、それら軸孔に共通軸を挿通することにより透明板保持枠及び前板を本体枠の前面に取り付けるようにしている（例えば、特許文献２参照。）。
【特許文献１】特開平７−２６５５２６号公報（第３頁、図３乃至図７）
【特許文献２】特開平７−２６５５２４号公報（第２−３頁段落０００８乃至００１９、図４、図５）
【発明の開示】
【発明が解決しようとする課題】
【０００４】
前記特許文献２のパチンコ遊技機にあっては、後で閉められる透明板保持枠に共通軸が取着され、該共通軸を引っ張りスプリングの付勢に抗して引き上げ、支持板と透明板保持枠及び前板の各軸孔を共通軸が挿通できるようにそれら位置合わせをしなければならないが、透明板保持枠と前板が重なっていることから、目で見ながら位置合わせすることは難しく苦慮しているのが現状である。このため、それら取付作業に手間取り作業性が悪いという課題が有った。
【０００５】
また、透明板保持枠を交換する場合、該透明板保持枠と共に前板を前方へ回動した状態で共通軸を引っ張りスプリングの付勢に抗し引き上げて各軸孔から抜くことになるが、この際、前板が一側下部のみで軸着されることになり、不安定になって前側へ転倒し床面に落下するなどして球受皿が破損するといった危険性も有った。更に、前記特許文献１のパチンコ遊技機は、前述したように透明板保持枠よりも前板を先に閉める必要があるが、該前板を軸着する前に透明板保持枠を軸着することも可能な構造になっている。ところが、透明板保持枠を先に軸着すると前板を閉じることができなくなってしまうので、透明板保持枠を一度取り外して前板から付け直す必要があった。
【０００６】
そこで、本発明は前記課題に鑑みてなされたもので、開閉扉枠の取付作業が容易に行なえ作業性に優れ、しかも、後に閉められる開閉扉枠の交換作業時に先に閉められる開閉扉枠が床面に落下して破損するといった危険性をなくし、また、間違った順序で取り付けられるのを未然に防ぐことができる遊技機を提供することを目的とするものである。
【課題を解決するための手段】
【０００７】
かかる目的を達成するため本発明の遊技機は、本体枠の前面一側に前方へ水平に突出すると共に中軸孔を開設した中部支持板が設けられ、前記本体枠の前面一側に少なくとも一対の開閉扉枠が前記中部支持板を挟んで上下に連なるようにして開閉自在に軸着される遊技機であって、前記一対の開閉扉枠の内の先に閉められる開閉扉枠に付勢部材により常に後で閉められる開閉扉枠側に付勢され前記中軸孔に挿通される共通軸を取着し、前記本体枠には先に閉められる前記開閉扉枠が閉められた状態で前記中軸孔に挿通される前記共通軸が前記付勢部材の付勢に抗して押し込まれても該共通軸を該中軸孔から突出した位置で保持する規制段部を設けたことを特徴とする。
【発明の効果】
【０００８】
本発明に係る遊技機は、後で閉められる開閉扉枠を本体枠の前面に取り付けるとき、規制段部により必ず共通軸が中部支持板の中軸孔から突出しているので、後で閉められる開閉扉枠の軸孔との位置合せが手探りで容易かつ確実に行なえ、作業性に優れるという効果を有する。また、後に閉められる開閉扉枠の交換作業時にその開閉扉枠を外しても、共通軸が中部支持板の中軸孔に挿通されたままになっており、先に閉められる開閉扉枠は一側上下部が軸着され本体枠から外れることがないので、先に閉められる開閉扉枠が床面に落下して破損するといった危険性をなくすことができる。また、一対の開閉扉枠を間違った順序で取り付けられるのを未然に防ぐことができる。
【発明を実施するための最良の形態】
【０００９】
以下、本発明に係る遊技機の実施の形態を図面に基づき詳しく説明する。本発明は、パチンコ遊技機、アレンジボール機、雀球機、パロット（登録商標）機等の遊技機に適用できるが、この内、本発明はパチンコ遊技機に適用される場合について説明する。図１は本発明が適用されるパチンコ遊技機の正面図、図２は同透明板保持枠と前板とを開いた状態のパチンコ遊技機の斜視図である。
【００１０】
パチンコ遊技機Ｐは木製の縦長長方形状の機枠１を有し、該機枠１の前面一側に合成樹脂製の本体枠２が開閉自在に軸着される。該本体枠２は中央に窓口３が開設されると共に額縁状に成形され、該窓口３に臨むようにして遊技盤４が着脱自在に配設される。本体枠２の前面一側に、遊技盤４の前面を覆う合成樹脂製の開閉扉枠としての透明板保持枠５が開閉自在に装着される。該透明板保持枠５は正面略正方形状をなすと共に前記遊技盤４の前面が臨む開口６が開設され、該開口６にガラスまたは合成樹脂製からなり該開口６を覆う透明板７が装着される。また、透明板保持枠５の下方に、合成樹脂製の開閉扉枠としての前板８が同じく開閉自在に装着される。該前板８は横長長方形状をなし、その前面にパチンコ遊技機Ｐの裏側に配設される球払出装置（図示せず。）から払い出される景品球又は貸し球としての遊技球を貯留すると共に本体枠２の下部前面に設けられた打球発射部９へ供給する球受皿１０が装着される。
【００１１】
前記遊技盤４の前面に内側のガイドレール１１ａと外側のガイドレール１１ｂとが渦巻状に敷設され、これら内・外側のガイドレール１１ａ，１１ｂに囲まれるようにして遊技部４ａが形成される。該遊技部４ａには、例えばその中央上部に各種の情報を変動表示する表示部１２を備えた可変表示装置１３が装着され、その下方に打ち球としての遊技球が入賞することにより前記可変表示装置１３の表示部１２の情報を変動させる始動入賞口１４が装着される。更に、その下方に前記表示部１２の表示が特定の情報（例えば、「７，７，７」）に揃ったとき開閉扉１５を開き、一定の条件の下で一度に多くの賞球が得られる大型の入賞装置１６が装着されている。本体枠２の前面下部に、打球発射部９から遊技盤４の遊技部４ａに打ち込まれる遊技球の打球力を調整するための打球力調整ハンドル１７が設けられる。
【００１２】
次に、本体枠２、透明板保持枠５、前板８の軸支構造について詳しく説明する。図３、図５に示すように前記機枠１における上側板１ａの一側に金属製の保持板２０がビス止めされ、該保持板２０の前方へ突出する水平部２０ａの下面に下方へ突出する固定軸２１が設けられる。一方、本体枠２における同じ側の上端角部に水平板部２０と一部重なる水平な金属製の上部支持板２２が固着され、該上部支持板２２の上面に固定軸２１が挿通される保持孔２３が設けられ、下面には保持孔２３と同一軸線上に位置し透明板保持枠５の後記する支軸３３が挿通される第１軸孔２４が設けられている。
【００１３】
また、図４、図５に示すように機枠１における下側板１ｂの一側に前方へ水平に突出する金属製の受基板２５が固着され、該受基板２５の上面に短軸２６が突設される。該短軸２６は上の保持板２０の固定軸２１と同一鉛直線上にある。
【００１４】
本体枠２における前記軸支部と同じ側の側壁部２ａには、その内側面に直方体形状の取付基部２７が一体に成形され、その前面にビス止めにより中部支持板２８が取着される。該中部支持板２８は側面逆Ｌ字形に成形され、その前方へ水平に突出する水平板部２８ａに前板８に取着された後記する共通軸４２を挿通する中軸孔２９が貫設される。この中軸孔２９も前記同一鉛直線上にある。また、取付基部２７の前面下端部は前方へ突出しており、その上面を規制段部３０としている。なお、図示は省略するが、取付基部２７の前面に規制段部３０を設けることなく、中部支持板２８の下縁を前方へ水平に屈曲させて水平板部２８ａを含め側面コ字状に成形し、その下側の水平板部の上面を規制段部３０としても良い。
【００１５】
本体枠２における前記軸支部と同じ側の下壁部２ｂの下縁に、図４、図５に示すように金属製の下部支持板３１が前方へ水平に突設される。この下部支持板３１は、受基板２５の上面に重ね合わさり、短軸２６に対応位置して該短軸２６を挿通する通孔３２が貫設される。そこで、機枠１における保持板２０の固定軸２１を本体枠２における上部支持板２２の保持孔２３に挿通すると共に、機枠１における受基板２５の短軸２６を本体枠２における下部支持板３１の通孔３２に挿通することにより、本体枠２が機枠１に開閉自在に軸着される。
【００１６】
透明板保持枠５における軸支部側の上部に、図３、図５に示すように第１軸孔２４に挿通する支軸３３が取着される。該支軸３３はＬ型に成形され、その鉛直杆部３３ａが透明板保持枠５に固着される取付枠３４の一対のガイド孔３４ａ，３４ａに支持され、上下に自在に摺動できるようになっている。また、支軸３３の水平杆部３３ｂには、取付枠３４との間に引っ張りスプリング３５が張設され、鉛直杆部３３ａを透明板保持枠５の上面に開設された透孔３６を介して上方へ付勢するようにしている。また、図４に示すように透明板保持枠５における軸支部側の下部に座板３７が水平に配置され、該座板３７に共通軸４２を挿通する第２軸孔３８が開設されている。
【００１７】
前板８の軸支部である一側に、図６，図９に示すように裏面の補強板３９の上端部に前方へ水平に折れ曲る前支片４０ａと後方へ水平に折れ曲る後支片４０ｂとが設けられ、前支片４０ａに第３軸孔４１が開設されている。そして、該第３軸孔４１に下側から共通軸４２が挿通される。該共通軸４２もＬ型に成形され、鉛直杆部４２ａが第３軸孔４１に挿通され、水平杆部４２ｂが補強板３９に開設された引出口４３を介して裏側に突出し、該水平杆部４２ｂと後支片４０ｂとの間に付勢部材としての引っ張りスプリング４４が張設されている。これにより、共通軸４２は引出口４３の上下縁間で常に上方へ付勢され、鉛直杆部４２ａが第３軸孔４１を介してその上方へ突出している。前板８における軸支部側の下端部に、共通軸４２の鉛直杆部４２ａと同一鉛直線状に位置して第４軸孔４５が開設される。第４軸孔４５には、本体枠２の下部支持板３１から上方へ突出する短軸２６が挿通されることになる。
【００１８】
ところで、前板８の金属製の補強板３９の上縁に、前面が開放する側断面コ字型の横溝４６が設けられている。該横溝４６は、透明板保持枠５を閉めたときその下端縁から後方へ延びる下端壁５ａの後端部が介入するようになっている。これは、例えば透明板保持枠５と前板８との間の隙間から遊技盤４面にセル板、ピアノ線といった不正具を這わせて行なう不正行為を未然に防ぐためである。また、透明板保持枠５と前板８とを閉じるときには、先に前板８を閉じ、その後に透明板保持枠５を閉じることになる。共通軸４２が前板８に取り付けられている関係上、透明板保持枠５を先に取り付けようとしても中軸孔２９から共通軸４２が突出してないので、透明板保持枠５を軸着することはできず、前板８よりも透明板保持枠５を先に取り付けることはありえないことになる。よって、これにより透明板保持枠と前板８が間違った順序で取り付けられるのを未然に防ぐことができる。
【００１９】
なお、前板８の裏面には、球受皿１０の貯留部１０ａと連通する球受通路樋４７が後方へ延びるようにして設けられ、該球受通路樋４７の後端部の上面に球受口４８が開設される。前板８を閉めたとき、該球受通路樋４７の後端部が本体枠２の下部前面に開設された凹窪み４９内に導かれる。球受口４８は、パチンコ遊技機Ｐの裏側に配置された球払出装置から延設される球排出通路樋（図示せず。）の下端出口と連通するようになっており、該球払出装置から払い出された景品球又は貸し球としての遊技球を球受通路樋４７に導き、球受皿１０の貯留部１０ａに排出する。
【００２０】
そこで、透明板保持枠５と前板８を本体枠２の前面に取り付ける場合、透明板保持枠５の下端壁５ａが前板８の横溝４６内に介入することから、前板８を先に取り付ける。すなわち、前板８の共通軸４２を図６鎖線に示すように引っ張りスプリング４４の付勢に抗して下げ、共通軸４２の鉛直杆部４２ａの上端を前板８の上端面よりも下方に位置させる。そして、前板８を開いた状態で、まず、前板８の下部の第４軸孔４５を本体枠２の前面の下部支持板３１から上方へ突出する短軸２６に嵌合する。続き、中部支持板２８の中軸孔２９の下面に共通軸４２の鉛直杆部４２ａの上端面を合致させて共通軸４２を放す。これにより、鉛直杆部４２ａが引っ張りスプリング４４の付勢により上動し、中部支持板２８の中軸孔２９に挿通される。このとき、図８に示すようにその鉛直杆部４２ａの上端は、中部支持板２８の上面より上方へ突出する。そして、前板８を閉める。これにより、前板８が取り付けられる。
【００２１】
前板８を閉じた状態では、図９実線に示すように、仮に共通軸４２を引っ張りスプリング４４の付勢に抗して押し込むすなわち押し下げても、共通軸４２の水平杆部４２ｂが途中で規制段部３０に当接して、鉛直杆部４２ａが途中で中軸孔２９から突出した位置で停止し保持される。前板８を開いた状態では、図７に示すように共通軸４２と規制段部３０とは離れており、互いに係り合うことはない。
【００２２】
次に、図８、図９に示すように透明板保持枠５の軸支部側の下端面を中部支持板２８における水平板部２８ａの上面に載置すると共に、共通軸４２の鉛直杆部４２ａを座板３７の第２軸孔３８に挿通する。この際、鉛直杆部４２ａが透明板保持枠５の下端面に接触して引っ張りスプリング４４の付勢に抗して下動しても、水平杆部４２ｂが規制段部３０に当接して停止され、鉛直杆部４２ａが中軸孔２９より上方へ突出したままになっている。よって、共通軸４２の第２軸孔３８への挿通がし易い。更に、透明板保持枠５の上部の支軸３３を引っ張りスプリング３５の付勢に抗して引き下げ、本体枠２における上部支持板２２の下面の第１軸孔２４に挿通する。そして、下端壁５ａを前板８の横溝４６内に介入させるようにして透明板保持枠５を閉める。これにより、透明板保持枠５が取り付けられる。
【００２３】
このように、本発明は、後で閉められる透明板保持枠５を本体枠２の前面に取り付けるとき、必ず共通軸４２が中部支持板２８の中軸孔２９から突出しているので、透明板保持枠５の下部の第２軸孔３８の位置合せが容易かつ確実に行なえ、作業性に優れる。また、透明板保持枠５の交換作業時にその透明板保持枠５を外しても、共通軸４２が中部支持板２８の中軸孔２９に挿通されたままになっている。よって、先に閉められた前板８はその一側上下部が軸着され本体枠２から外れることがないので、該前板８が床面に落下して破損するといった危険性もない。
【００２４】
この実施の形態にあっては、開閉扉枠として透明板保持枠と前板とを示したが、他に例えば球受皿を装着した前板とその下方に軸着されその球受皿から溢れる遊技球を貯留する他の球受皿を装着した下部前板との組み合わせ、または、透明板保持枠と上下に球受皿を２個装着した前板との組み合わせについても本発明が適用できることは勿論である。
【図面の簡単な説明】
【００２５】
【図１】本発明が適用されるパチンコ遊技機の正面図。
【図２】同透明板保持枠と前板とを開いた状態のパチンコ遊技機の斜視図。
【図３】本体枠から透明板保持枠を外した状態を示す一部の拡大斜視図。
【図４】本体枠から透明板保持枠と前板とを外した状態を示す一部の拡大斜視図。
【図５】透明板保持枠の上部と前板の下部の軸支部を示す一部正面断面図。
【図６】前板の軸支部側の一部拡大背面図。
【図７】前板を開いた状態のパチンコ遊技機の下部の側面断面図。
【図８】本体枠の前面に透明板保持枠を取り付ける状態を示す一部拡大斜視図。
【図９】本体枠の前面に透明板保持枠を取り付ける状態を示す一部拡大側面断面図。
【符号の説明】
【００２６】
２            本体枠
５            後で閉められる開閉扉枠（透明板保持枠）
８            先に閉められる開閉扉枠（前板）
２８          中部支持板
２９          中軸孔
３０          規制段部
４２          共通軸
４４          引っ張りスプリング
Ｐ            遊技機（パチンコ遊技機）
【図１】
2008136790.tif 000003
【図２】
2008136790.tif 000004
【図３】
2008136790.tif 000005
【図４】
2008136790.tif 000006
【図５】
2008136790.tif 000007
【図６】
2008136790.tif 000008
【図７】
2008136790.tif 000009
【図８】
2008136790.tif 000010
【図９】
2008136790.tif 000011